(57)【要約】【課題】蓋開放時の高さを抑え、蓋の開閉操作が容易で炊飯保温性能が安定した炊飯器を提供する。【解決手段】鍋２を加熱する鍋加熱手段４と、鍋２の開口部２ａとそれを覆う蓋７とを水密にする可撓性の蓋パッキング９と、開口部２ａより下方にある蓋支軸１０を中心に蓋７を回動する蓋アーム１１と、蓋アーム１１を後方へ回動する蓋駆動手段１２と、蓋７を鍋２に対して所定の位置に保持する蓋固定手段１３とを備え、蓋アーム１１の一部に可撓性を持たせたもので、鍋２の開口部２ａより下方にある蓋支軸１０を中心に蓋アーム１１および蓋７を回動させるので、蓋７の回動時および全開時の高さが低減され、、また蓋アーム１１と蓋７の間に回動部分を介在させず、蓋駆動手段１２で蓋アーム１１及び蓋７を直接駆動するので蓋７の開閉動作が連続した１回の動作で行われて、操作の回数が少ない。【選択図】図１
2006075476.tif 000002
【特許請求の範囲】
【請求項１】
鍋を収納する収納部を備えた本体と、前記鍋を加熱する鍋加熱手段と、前記鍋の開口部を覆う蓋と、前記蓋と前記開口部を水密にする可撓性の蓋パッキングと、前記開口部より下方にある蓋支軸を中心に前記蓋を回動する蓋アームと、前記蓋アームを後方へ回動する蓋駆動手段と、前記蓋を前記鍋に対して所定の位置に保持する蓋固定手段とを備え、前記蓋アームの一部に可撓性を持たせた炊飯器。
【請求項２】
蓋の開閉を指示する開閉入力手段を設け、前記開閉入力手段からの開閉信号に基づいて蓋駆動手段が作動するようにした請求項１に記載の炊飯器。
【請求項３】
蓋駆動手段による蓋アームの回動時の回動速度を加速する第１の速度調整手段を設けた請求項１又は２に記載の炊飯器。
【請求項４】
蓋駆動手段による蓋アームの回動時の回動速度を減速する第２の速度調整手段を設けた請求項１〜３のいずれか１項に記載の炊飯器。
【請求項５】
蓋支軸を鍋の中央より後方で、且つ本体の幅より内側に位置させた請求項１〜４のいずれか１項に記載の炊飯器。
【請求項６】
本体と蓋の間の信号線または電線を、蓋支軸の周辺で、前記蓋支軸と略並行に配置した請求項１〜５のいずれか１項に記載の炊飯器。
【請求項７】
蓋の最大の開き角度を設定する蓋角度設定手段を設けた請求項１〜６のいずれか１項に記載の炊飯器。
【請求項８】
蓋支軸を支持する軸受を収納部に設けた請求項１〜７のいずれか１項に記載の炊飯器。
【請求項９】
本体の両側面に回転自在に軸支されるハンドルを備え、前記ハンドルの取り付け位置を検出するハンドル検知手段を設けた請求項１〜８のいずれか１項に記載の炊飯器。
【請求項１０】
本体の両側面に回転自在に軸支されるハンドルを備え、前記ハンドルの長さを蓋の回動と干渉しない長さにした請求項１〜９のいずれか１項に記載の炊飯器。
【請求項１１】
鍋および内容物の重量を検出する重量検知手段を備えた請求項１〜１０のいずれか１項に記載の炊飯器。
【請求項１２】
蒸気を鍋内に投入する蒸気投入手段を備えた請求項１〜１１のいずれか１項に記載の炊飯器。
【請求項１３】
蓋駆動手段を、蓋固定手段の開放時に蓋アームを回動するねじりコイルばねで形成した請求項１〜１２のいずれか１項に記載の炊飯器。
【請求項１４】
炊飯工程に応じて、蓋駆動手段により蓋の閉状態を維持することを特徴とする請求項１〜１３のいずれか１項に記載の炊飯器。
【発明の詳細な説明】
【技術分野】
【０００１】
本発明は炊飯器に関するもので、特に蓋開閉機構に関するものである。
【背景技術】
【０００２】
従来の炊飯器については、図１９を用いて説明する。
【０００３】
図１９において、炊飯器１の本体３は、お米やご飯を収納すると共に本体３に着脱自在に装着される鍋２と、鍋２を加熱する鍋加熱手段４と、鍋２の底面の温度を検知する底温度センサー５と、前記鍋加熱手段４を制御する制御手段６と、一端が本体３の上部後方に設けた蓋支軸１０を中心に回動自在に設けられ鍋２を開閉する蓋７と、蓋７の底面に取着された蓋加熱板８と、蓋７と鍋２との気密を確保する蓋パッキン９と、蓋７の前端を本体３に係止する蓋固定手段１３が設けられている。
【０００４】
そして、回動する蓋７を開けた時、鍋２を収納する本体３の上部に配置された蓋支軸１０を中心に蓋７が回動するので、蓋７を開いた時に、全高が大きい。そのため、炊飯器１をキャビネット（図示せず）に収納して使用するような場合、蓋７がキャビネットの天面に当って開き切らないために、鍋２のご飯および鍋２を取り出し難いという課題がよくあった。
【０００５】
もちろん、炊飯器１の収納キャビネットの高さを十分大きく確保できれば問題ないが、一般的にはキャビネットの最上部や上方に他の機器を設置し、作業に使用するために、収納キャビネットの全高や炊飯器１の設置される位置はほぼ一定であり、結果として炊飯器１の設置位置を低くすることになる。そうすると今度は、鍋２の収納、取り出し、ご飯の盛り付け、操作部の操作などを、中腰の姿勢で行うことになり、操作性が低下する。それらの課題を解消するため、蓋の回動中心を本体３の上面より下げることで、蓋７を開けた時の高さを低くしている炊飯器がある（例えば、特許文献１参照）。
【０００６】
図２０は、特許文献１に記載された、蓋開放時の全高を抑えた炊飯器を示すものである。図２０に示すように、炊飯器１の本体３内部に鍋２を設け、開放途中で回動中心を変更される蓋７により開閉するようになっている。
【０００７】
まず、蓋７は、第１の蓋支軸１０を中心として回動自在に設けられている。さらに、炊飯器１の本体３の両側面下方に第２の蓋支軸１０ａが設けられ、その第２の蓋支軸１０ａを中心に回動自在の一対の蓋アーム１１が設けられている。
【０００８】
また、蓋７はフック（図示しない）で炊飯器の本体３に係止されるようになっている。本体３の両側面に設けた蓋アーム１１の先端には、第１の蓋支軸１０の両端部がそれぞれ回転自在に連結されている。第１の蓋支軸１０には、図示しない第１スプリングが巻回され、その第１スプリングにより蓋３が開放方向に付勢されている。各第２の蓋支軸１０ａには、図示しない第２スプリングが巻回され、蓋アーム１１を反時計回り方向に付勢している。
【０００９】
上記構成において、フックの係止を解除すると、第１スプリングの付勢力により蓋７が中間開放位置（２点鎖線で示された位置）に到達し、ついで第２蓋支軸１０ａを中心として、蓋７が蓋アーム１１とともに一体的に回動する。すなわち、蓋７の開放初期には、炊飯器１の本体３の後方上部に設けた第１の蓋支軸１０を回動中心として回動し、開放途中には、第１の蓋支軸１０より下方に設けた第２の蓋支軸１０ａに回動中心を変更して炊飯器１の本体３の後方に回動することで、蓋７の開放途中における全高を抑えるとともに、蓋７を本体３側方に回転することで、全開可能なものである。
【特許文献１】特開２００２−９５５８３号公報
【発明の開示】
【発明が解決しようとする課題】
【００１０】
しかしながら、特許文献１に開示された炊飯器では、蓋７が中間開放位置に到達した時、蓋７の重心位置が第２蓋支軸１０ａの中心を越えて外側に移動していないので自重で蓋アーム１１を回動することにはならない。従って、蓋７は中間開放位置で止まり、更に蓋７を後方へ手で押して、全開しないといけない。すなわち、従来の炊飯器１でフックの係止を解除すると、蓋７はスプリングの付勢力で全開するが、このような炊飯器１では使用者の操作の回数が増えることになるという課題がある。
【００１１】
また、蓋７を閉じる場合は、蓋７が第１蓋支軸１０を中心に回動することを抑制しながら、第２蓋支軸１０ａを中心に回動することが必要である。例えば、使用者が蓋７を手前に引きながら、第２蓋支軸１０ａを中心に回動することができるような引き手がないと、操作が困難である。
【００１２】
しかも、従来の炊飯器１のように、単純に蓋７を下方に押しつけるような操作を行うと、蓋７が第１蓋支軸１０を中心に回動し、蓋７が本体の上面にぶつかるという課題があった。
【００１３】
本発明は、前記従来の課題を解決するもので、蓋開放時の高さを抑え、操作の回数が増えず、また、蓋を閉じる操作が容易で、操作性に優れ、所定の炊飯性能を種々の設置場所で実現することができる炊飯器を提供することを目的とする。
【課題を解決するための手段】
【００１４】
前記従来の課題を解決するために、本発明の炊飯器は、鍋を収納する収納部を備えた本体と、前記鍋を加熱する鍋加熱手段と、前記鍋の開口部を覆う蓋と、前記蓋と前記開口部を水密にする可撓性の蓋パッキングと、前記開口部より下方にある蓋支軸を中心に前記蓋を回動する蓋アームと、前記蓋アームを後方へ回動する蓋駆動手段と、前記蓋を前記鍋に対して所定の位置に保持する蓋固定手段とを備え、前記蓋アームの一部に可撓性を持たせたもので、第１に、鍋の開口部より下方にある蓋支軸を中心に蓋アームおよび蓋が回動するので、蓋の回動時および全開時の高さが低減される。また第２に、蓋アームと蓋の間に回転部分を介在させず蓋駆動手段で蓋アーム及び蓋を直接駆動するので、蓋の開閉動作が連続した１回の動作で行われて、操作の回数が少ない。また第３に、蓋アームの一部に可撓性があるので、蓋パッキングは必要なだけ変形して、蓋と鍋の開口部との間のシール性能が確保され、炊飯および保温工程において、この空隙から蒸気が漏れずに、所定の炊飯性能が得られるものである。
【発明の効果】
【００１５】
本発明の炊飯器は、蓋開放時の高さを抑え、操作の回数が増えず、また、蓋を閉じる時も操作しやすく、所定の炊飯性能を種々の設置場所で実現することができる。
【発明を実施するための最良の形態】
【００１６】
第１の発明は、鍋を収納する収納部を備えた本体と、前記鍋を加熱する鍋加熱手段と、前記鍋の開口部を覆う蓋と、前記蓋と前記開口部を水密にする可撓性の蓋パッキングと、前記開口部より下方にある蓋支軸を中心に前記蓋を回動する蓋アームと、前記蓋アームを後方へ回動する蓋駆動手段と、前記蓋を前記鍋に対して所定の位置に保持する蓋固定手段とを備え、前記蓋アームの一部に可撓性を持たせたもので、第１に、鍋の開口部より下方にある蓋支軸を中心に蓋アームおよび蓋が回動するので、蓋の回動時および全開時の高さが低減される。また第２に、蓋アームと蓋の間に回転部分を介在させず蓋駆動手段で蓋アーム及び蓋を直接駆動するので、蓋の開閉動作が連続した１回の動作で行われて、操作の回数が少ない。また第３に、蓋アームの一部に可撓性があるので、蓋パッキングは必要なだけ変形して、蓋と鍋の開口部との間のシール性能が確保され、炊飯および保温工程において、この空隙から蒸気が漏れずに、所定の炊飯性能が得られるものである。
【００１７】
第２の発明は、特に、第１の発明の蓋の開閉を指示する開閉入力手段を設け、前記開閉入力手段からの開閉信号に基づいて蓋駆動手段が作動するようにしたもので、使用者が開閉入力手段に入力することで、ワンタッチで蓋の開閉操作ができるので、両手が空いていないような盛り付け作業が楽々に行えるものである。
【００１８】
第３の発明は、特に、第１又は第２の発明の蓋駆動手段による蓋アームの回動時の回動速度を加速する第１の速度調整手段を設けたもので、蓋を閉じる時は蓋の回動速度が増大し、加速されることで増加した蓋の慣性で、パッキングを変形させシール性能を確保すると同時に、蓋を確実に所定の位置に収納するもので、蓋の操作性とシール性能が向上する。
【００１９】
第４の発明は、特に、第１〜３のいずれか１つの発明の蓋駆動手段による蓋アームの回動時の回動速度を減速する第２の速度調整手段を設けたもので、蓋の開成時に、蓋の急激な回動による蓋の内面に付着した露、水滴が飛散することを低減し、蓋の操作性とお手入れ性の両方が向上する。
【００２０】
第５の発明は、特に、第１〜４のいずれか１つの発明の蓋支軸を鍋の中央より後方で、且つ本体の幅より内側に位置させたもので、略円形の鍋の周囲に効率的に蓋の回動機構を配置できるので、全体の省スペース化が図られ、さらに蓋の操作性が向上する。
【００２１】
第６の発明は、特に、第１〜５のいずれか１つの発明の本体と蓋の間の信号線または電線を、蓋支軸の周辺で、前記蓋支軸と略並行に配置したもので、蓋の開閉に伴う信号線や電線の屈曲角度が小さくなり、耐久性が向上できるものである。さらに、蓋駆動手段による蓋アームの回動速度を電線などの屈曲角度に合わせて、下げる様にすればさらに耐久性を向上させることができる。
【００２２】
第７の発明は、特に、第１〜６のいずれか１つの発明の蓋の最大の開き角度を設定する蓋角度設定手段を設けたもので、炊飯器が使用される設置場所に応じた最適な開き角度を設定することができる。また、お手入れ時には、さらに角度を拡大させても良い。
【００２３】
第８の発明は、特に、第１〜７のいずれか１つの発明の蓋支軸を支持する軸受を収納部に設けたもので、収納部を基準として、鍋と蓋との位置が明確に決定され、鍋のシール性能および炊飯性能が長期に安定する。
【００２４】
第９の発明は、特に、１〜８のいずれか１つの発明の本体の両側面に回転自在に軸支されるハンドルを備え、前記ハンドルの取り付け位置を検出するハンドル検知手段を設けたもので、蓋が回動してハンドルに接触して、回動が停止することがない。
【００２５】
第１０の発明は、特に、第１〜９のいずれか１つの発明の本体の両側面に回転自在に軸支されるハンドルを備え、前記ハンドルの長さを蓋の回動と干渉しない長さにしたもので、本体の持ち運び時の操作性と蓋の開閉時の操作性を両立することができる。
【００２６】
第１１の発明は、特に、第１〜１０のいずれか１つの発明の鍋および内容物の重量を検出する重量検知手段を備えたもので、鍋の重量すなわちご飯量を検知し、その検知結果に応じて、蓋の回動速度を設定し、蓋を開閉するようにすれば、蓋の回動に伴う本体の浮き上がりもなく、安定した状態で使用できる。
【００２７】
第１２の発明は、特に、第１〜１１のいずれか１つの発明の炊飯器に蒸気を鍋内に投入する蒸気投入手段を備えたもので、蒸気による炊飯性能が向上することに加えて、蒸気の投入中には蓋駆動手段の動作を停止させ、あるいは遅延させることで、炊飯性能や保温性能の向上が確実に得られる。
【００２８】
第１３の発明は、特に、第１〜１２のいずれか１つの発明の蓋駆動手段を、蓋固定手段の開放時に蓋アームを回動するねじりコイルばねで形成したもので、万一本体の電源が切れたり、あるいは電源コードが抜き取られても、蓋の開成時は、ねじりコイルの変形により貯えたエネルギーで蓋を回動させ、蓋を閉じる時は、使用者がねじりコイルばねに力を加えながら、蓋を所定の位置にセットできるというものである。
【００２９】
第１４の発明は、特に、第１〜１３のいずれか１つの発明の炊飯器の炊飯工程に応じて、蓋駆動手段により蓋の閉状態を維持するもので、所定の炊飯性能が確実に得られるものである。
【００３０】
以下、本発明の実施の形態について、図面を参照しながら説明する。なお、この実施の形態により、本発明が限定されるものではない。
【００３１】
（実施の形態１）
本発明の第１の実施の形態における炊飯器について、図１〜５を用いて説明する。
【００３２】
図１は、本実施の形態における炊飯器の断面図である。本実施の形態における炊飯器１は、鍋２を着脱自在に収納する本体３と、鍋２を誘導加熱する鍋加熱コイルからなる鍋加熱手段４と、鍋２の開口部２ａを覆う蓋７と、蓋７と鍋２の開口部２ａを水密にする可撓性の蓋パッキング９を有す。また、蓋パッキング９は蓋加熱板８に取り付けられており、蓋加熱板８は蓋７に対し着脱自在である。また、鍋２の開口部２ａより下方に配置された蓋支軸１０を中心に、蓋７を回動する蓋アーム１１と、蓋アーム１１を後方へ回動する蓋駆動手段１２と、蓋７を鍋２に対して所定の位置に保持する蓋固定手段１３とを備え、蓋アーム１１の一部に可撓性を持たせている。
【００３３】
また、蓋加熱板８は、図示しない蓋加熱コイルによって加熱される。底温度センサー５が鍋２の底面と当接するよう構成され、制御手段６は操作部６ａからの入力により、鍋加熱手段４や蓋加熱コイルの運転を制御することで、炊飯および保温を行い、炊飯器１の動作を制御する。
【００３４】
図２、図３に示すように、蓋駆動手段１２は、蓋駆動手段取付坂１５に固定され、蓋支軸１０を回動するための駆動源となるもので、図示しない電動機とギアーによる減速機構からなり、所定の回転数および回転トルクを発生するものであるが、一般的な機構技術であるので、詳細な図および説明は省略する。なお、電動機とギアーによる減速機構に限定するものでもない。
【００３５】
また、軸受１４は、蓋駆動手段取付坂１５に固定され、蓋支軸１０を回転自在に支持するものである。蓋支軸１０と蓋アーム１１は一体として回動するように固定されている。蓋駆動手段１２を運転すれば、その出力、回転トルクにより蓋支軸１０および蓋アーム１１が回動し、蓋７を回動することが可能となる。１１ａは、蓋アーム１１の一部に可撓性を持たせるために設けた可撓部で、板ばね等の弾性変形を利用して形成されているが、これに限定するものでもない。
【００３６】
また、蓋固定手段１３は、蓋７を本体３および鍋２に対して、所定の位置に保持するためのロック機構であるが、これも一般的であり、詳細図および説明は省略する。
【００３７】
上記構成において、蓋７の開閉操作を説明する。使用者が蓋固定手段１３を解除すると、蓋アーム１１の可撓部１１ａの反発力で、図２のように蓋７の前部が浮き上がった状態となる。続いて、制御手段６が、図示しない検知手段で蓋固定手段１３の解除を検知すると、蓋駆動手段１２を運転する。蓋駆動手段１２が運転されると、蓋アーム１１が後方に回動し、制御手段６が、蓋アーム１１が図４に示すような所定の位置まで回動したことを検知すると、蓋駆動手段１２を停止する。このようにして、蓋７を全開させることができる。
【００３８】
次に、蓋７を閉じるには、蓋７の上部を前方下方に、手で操作する。なお、蓋駆動手段１２は、蓋７を閉じる方向には、自由に回動できるようになっており、蓋７を所定の位置まで回動させると、蓋固定手段１３が蓋７を閉じた状態に固定する。
【００３９】
また、上記のような回動動作をさせるために、蓋駆動手段１２と蓋支軸１０の間には、１方向にのみ、回転トルクを伝達するクラッチ機構（図示せず）が設けられているが、これは一般的な公知技術であり、図示および説明を省略する。
【００４０】
また、蓋アーム１１や蓋７等が所定の位置にあることを検知するためには、マイクロスイッチや、マグネットとホール素子など、種々の検知技術があるが、これも一般的な公知技術であり図示および説明を省略する。
【００４１】
以上のように本実施の形態によれば、蓋アーム１１の一部に可撓性を持たせたことで、第１に、鍋２の開口部２ａより下方にある蓋支軸１０を中心に蓋アーム１１および蓋７を回動することができる。したがって、蓋７の回動時および全開時の高さが低減される。
【００４２】
第２に、蓋駆動手段１２が蓋アーム１１および蓋７を一体的に回動駆動するものであり、蓋アーム１１と蓋７の間では回転部分が無いので、蓋７の開閉動作が連続した１回の動作で行われて、使用者による操作の回数が少ない。
【００４３】
また第３に、蓋アーム１１の一部に可撓性を持たせているので、蓋パッキング９は必要なだけ変形させて、蓋７あるいは蓋加熱板８と鍋２の開口部２ａとのシール性能が確保され、炊飯および保温工程において、空隙から蒸気が漏れたりすることが無く、所定の炊飯性能や保温性能が得られるものである。
【００４４】
なお、蓋アーム１１の蓋支軸１０を取り付ける軸受１４が蓋駆動手段取付板１５に固定され、この蓋駆動手段取付板１５が鍋２を収納する本体３の収納部１６に一体的に設けられている。このことで、収納部１６を基準として、鍋２と蓋７、特に鍋２の上端の開口部２ａと蓋パッキング９との位置関係が明確に決定され、鍋２のシール性能が確実に行われ、炊飯性能が長期に安定する。
【００４５】
（実施の形態２）
図６〜図１１を用いて、本発明における第２の実施の形態における炊飯器を説明する。
【００４６】
本実施の形態は、蓋７に設けた操作部６ａで蓋７の開閉を入力指示するもので、他の構成は上記第１の実施の形態と同一なので、その部分の説明を省略する。
【００４７】
まず、使用者が操作部６ａに配した開閉操作部２０（図８参照）にて、開ボタン２１を押したとする。制御手段６は、開ボタン２１の入力信号に応じ、蓋固定手段１３を解除し、蓋駆動手段１２を運転する。蓋アーム１１および蓋７が回動し、蓋アーム１１が、図７に示すような所定の位置まで回動すると、制御手段６は蓋駆動手段１３を停止する。ここで、使用者はご飯の盛り付けや、鍋２の着脱が行える。
【００４８】
次に、使用者が操作部６ａの開閉操作部２０にて、閉ボタン２２を押すと、制御手段６は、閉ボタン２２の入力信号に応じ、蓋駆動手段１２を運転し、蓋アーム１１および蓋７が回動し、蓋アーム１１が元の所定の位置まで回動すると、制御手段６は、蓋駆動手段１２を停止し、蓋固定手段１３を作動させ、蓋７を所定の位置に保持する。ここで、使用者は、炊飯や保温を行える。
【００４９】
なお、蓋駆動手段１２に、蓋開閉アーム１１の回動速度を加速する第１の速度調整手段（図示は省略）を設け、図１０に示すように、蓋７の閉作動中に蓋７の回動速度を増大させるようにすれば、加速されることで増加した蓋７の慣性が、蓋パッキング９を変形させシール性能を確保すると同時に、蓋７を確実に所定の位置に収納することができる。すなわち、蓋駆動手段１２の動作により、蓋７の操作性とシール性能の両方が向上する。
【００５０】
また、蓋駆動手段１２に、蓋アーム１１の回動速度を減速する第２の速度調整手段（図示は省略）を設けて、図１１に示すように、蓋７の開作動中に蓋アーム１１の回動速度を減速するようにすれば、蓋７の急激な回動により蓋７の内面、蓋加熱板９に付着した露、水滴が飛散することを低減することができ、蓋７の操作性とお手入れ性の両方が向上する。
【００５１】
なお、上記実施の形態では、開閉操作部２０、開ボタン２１、閉ボタン２２が操作部６ａと一体に設けられているが、個別に設けても良い。また、蓋７の上面、側面や、本体３の前面等々、開閉操作部２０の配置場所はこれに限定されるものではない。
【００５２】
（実施の形態３）
図１２は、本発明の第３の実施の形態における炊飯器の断面図である。
【００５３】
本実施の形態は、図１２に示すように、本体３を持ち運びするためのハンドル２５を、本体３の両側面に回転自在に軸支し、蓋７の回動と干渉しない長さに設定したもので、他の構成は、上記実施の形態と同様であるので、説明を省略する。
【００５４】
上記構成により、ハンドル２５のセット状態に関わらず、蓋７を回動することができるので、本体３の持ち運び時の操作性と蓋７の開閉時の操作性の両方を向上させることができる。
【００５５】
なお、回転するハンドル２５の取り付け位置を検出するハンドル検知手段（図示は省略）を設けることで、蓋７が回動してハンドル２５に接触し、回動が停止することがない安定した操作性を実現することもできる。制御手段６の作動により、蓋駆動手段１２の動作を制御し、蓋７を確実に閉状態にできるので、いつも所定の炊飯性能や保温性能を発揮する。
【００５６】
（実施の形態４）
図１３は、本発明の第４の実施の形態における炊飯器の断面図で、図１４は、同炊飯器の動作の流れを示すフローチャートである。
【００５７】
本実施の形態は、鍋２の底部を支える鍋支持部３０と、鍋２及びその中に収納された内容物の重量を検出する重量検知手段３１を設けたもので、その他の構成は、上記実施の形態と同様であるので、説明を省略する。
【００５８】
なお、本実施の形態では、蓋７を開状態にした時に、鍋２の重量を検出できるようにしているが、本体３および蓋７を含む全体重量を計量する構成であってよいものであり、これに限定されるものでもない。
【００５９】
使用者が、本体３の前面に設けた操作部６ａにて、蓋７の開ボタン２１（実施の形態２と同様なので、図示は省略）を押すと、制御手段６は、前回蓋７を閉じる直前に計量した鍋２の重量を記憶されたデータより読み出す。制御手段６は読み出した鍋２の重量より、ご飯の量を判定し、蓋７すなわち蓋アーム１１の回動速度を設定する。蓋固定手段１３を解除し、蓋駆動手段１２を作動し、蓋アーム１１を回動する。蓋アーム１１の位置が所定の位置にあることを検出し、蓋駆動手段１２を停止する。
【００６０】
鍋２すなわち本体３の重量に応じて、蓋７の回動速度を加減し設定し、蓋７を適切な回動速度で開閉することで、蓋７の回動に伴う本体３の浮き上がりがなく、安定した状態で使用できる。
【００６１】
（実施の形態５）
図１５は、本発明の第５の実施の形態における炊飯器の断面図、図１６は、同炊飯器の動作の流れを示すフローチャートである。
【００６２】
本実施の形態は、図１５に示すように、一定量の水を収納できる容器（図示せず）と、容器内の水を加熱し沸騰させる加熱源を備えた蒸気発生部３５と、発生した蒸気を加熱する蒸気加熱部３６を設け、加熱された蒸気を鍋２に投入するようにしたもので、その他の構成は、上記実施の形態と同様であるので、説明を省略する。
【００６３】
蒸気加熱部３６で加熱された蒸気を、炊飯工程および保温工程時に鍋２に投入することで、ご飯のおいしさや保温されたご飯のおいしさの回復など、基本性能の向上が図れる。
【００６４】
ここで蒸気による炊飯性能や保温性能が向上することに加えて、蒸気の投入中には蓋駆動手段１２の動作を停止させ、あるいは一定時間遅延させることで、投入する蒸気の効果を最大限に発揮させてから、蓋７を開放するものであり、炊飯性能や保温性能の向上が確実に得られる。
【００６５】
（実施の形態６）
図１７は、本発明の第６の実施の形態における炊飯器の断面図、図１８は、同炊飯器の部分断面図である。
【００６６】
本実施の形態は、本体３内の制御手段６と蓋７の部品との間の信号線４０を蓋アーム１１に収納し、且つ蓋アーム１１の蓋支軸１０の周辺で、信号線４０を蓋支軸１０と略並行に屈曲させて配置したもので、その他の構成は、上記第１〜５の実施の形態と同様であるので、説明を省略する。
【００６７】
上記構成により、蓋７の開閉に伴う信号線４０の屈曲角度が低減され、その耐久性が向上できるものである。なぜなら、軸支軸１０の周囲で一定の半径で折り曲げられることに比べると、軸支軸１０に沿った長さをすべて使って、ねじられるものであるから、各部位の変形量は小さい。すなわち、信号線４０の変形量は、分散し、局所的に大きなひずみを発生するものではない。
【００６８】
なお、本実施の形態では、蓋７に配置された部品と制御手段６との信号線４０を配置した例を述べたが、部品に電力を供給する電線であっても、同様であることは言うまでもない。
【００６９】
さらに、蓋駆動手段１２による蓋アーム１１の回動速度を、電線などの屈曲角度、材質、本数などに合わせて、下げるようにすれば、耐久性が向上するものである。
【００７０】
なお、上記の実施の形態において、その蓋支軸１０を、平面的に見て、鍋２の中央より後ろ側で、且つ本体３の幅より内側に配すことで、略円形の鍋２の周囲に効率的に蓋７の回動機構を配置し、全体の省スペース化を図り、蓋７の操作性を向上させることができる。
【００７１】
なお、上記実施の形態において、蓋アーム１１または蓋駆動手段１２について、特に図示しないが、蓋７の最大の開き角度を設定する蓋角度設定手段を設けてもよく、炊飯器が使用される設置場所に応じた最適な開き角度を実現することができる。また、お手入れ時のために、さらに開き角度を拡大させる第２の蓋角度設定手段を設けてもよい。
【００７２】
なお、蓋角度設定手段としては、蓋アーム１１の回動移動を制止する機構的なストッパーでもよいし、蓋アーム１１の回動時間を調整することで回動角度を設定する電気的な制御手段でもよいし、これらを組み合わせたものでも良いが、一般的に公知な技術手段であり、事例の図示および説明は省略する。
【００７３】
なお、上記実施の形態において、蓋駆動手段１２を、蓋固定手段１３の開放時に蓋アーム１１を回動するねじりコイルばねで形成してもよい。これにより、本体３の電源が切り状態、あるいは電源コードが抜き取られた状態においても、蓋７を開ける時は、ねじりコイルの変形により貯えたエネルギーで蓋７を回動させ、蓋７を閉じる時は使用者がねじりコイルばねに力を加えながら、蓋７を所定の位置にセットできるというものである。
【００７４】
なお、上記の実施の形態において、蓋駆動手段１２が炊飯工程に応じて蓋７を閉状態に維持するようにしてもよい。これにより、ご飯を炊き上げる工程、特に蒸らし工程で蓋７が不用意に開放されることを防止し、鍋２内の熱を放出しないで、ご飯を加熱することで炊飯性能の向上が得られるものである。
【産業上の利用可能性】
【００７５】
以上のように、本発明にかかる炊飯器は、蓋開放時の高さを抑え、操作を増やすことなく容易に蓋を開けることができるので、炊飯器に限らず、回動式の蓋を有する調理器、洗濯機など様々な家庭用機器にも適用できるものである。
【図面の簡単な説明】
【００７６】
【図１】本発明の実施の形態１における炊飯器の断面図
【図２】同炊飯器の蓋固定手段を解除した状態を示す断面図
【図３】同炊飯器の部分断面図
【図４】同炊飯器の蓋が開放した状態を示す断面図
【図５】同炊飯器の動作の流れを示すフローチャート
【図６】本発明の実施の形態２における炊飯器の外観斜視図
【図７】同炊飯器の蓋が開いた状態を示す外観斜視図
【図８】同炊飯器の操作部の平面図
【図９】同炊飯器の動作の流れを示すフローチャート
【図１０】同炊飯器の他の動作の流れを示すフローチャート
【図１１】同炊飯器のさらに他の動作の流れを示すフローチャート
【図１２】本発明の実施の形態３における炊飯器の断面図
【図１３】本発明の実施の形態４における炊飯器の断面図
【図１４】同炊飯器の動作の流れを示すフローチャート
【図１５】本発明の実施の形態５における炊飯器の断面図
【図１６】同炊飯器の動作の流れを示すフローチャート
【図１７】本発明の実施の形態６における炊飯器の断面図
【図１８】同炊飯器の部分断面図
【図１９】従来の炊飯器の断面図
【図２０】従来の他の炊飯器の側面図
【符号の説明】
【００７７】
１  炊飯器
２  鍋
３  本体
４  鍋加熱手段
６  制御手段
７  蓋
９  蓋パッキング
１０  蓋支軸
１１  蓋アーム
１２  蓋駆動手段
１３  蓋固定手段
１４  軸受
１５  蓋駆動手段取付板
１６  収納部
２０  開閉操作部（開閉入力手段）
２５  ハンドル
３０  鍋支持部
３１  重量検知手段
３５  蒸気発生部（蒸気投入手段）
３６  蒸気加熱部
４０  信号線
【図１】
2006075476.tif 000003
【図２】
2006075476.tif 000004
【図３】
2006075476.tif 000005
【図４】
2006075476.tif 000006
【図５】
2006075476.tif 000007
【図６】
2006075476.tif 000008
【図７】
2006075476.tif 000009
【図８】
2006075476.tif 000010
【図９】
2006075476.tif 000011
【図１０】
2006075476.tif 000012
【図１１】
2006075476.tif 000013
【図１２】
2006075476.tif 000014
【図１３】
2006075476.tif 000015
【図１４】
2006075476.tif 000016
【図１５】
2006075476.tif 000017
【図１６】
2006075476.tif 000018
【図１７】
2006075476.tif 000019
【図１８】
2006075476.tif 000020
【図１９】
2006075476.tif 000021
【図２０】
2006075476.tif 000022